(57)【要約】【課題】貯湯給湯装置において、熱利用端末運転中にタンク出湯から補助加熱出湯に切り換えた際に冷水サンドイッチ現象が発生するのを防止可能にすること等である。【解決手段】貯湯給湯装置１は、補助熱源機３と給湯通路２１とタンク出湯通路２２と補助加熱通路２３と補助熱源機出湯通路２４とを備え、貯湯タンク２の湯水温度が給湯設定温度以下になった場合に三方弁２６によってタンク出湯通路２２から補助加熱通路２３に切り換え、タンク出湯から補助加熱出湯に切り換える前に、圧送ポンプ２７と補助熱源機３を駆動して熱利用循環回路９に湯水を循環させて補助加熱通路２３内及び補助熱源機出湯通路２４内に存在する湯水を加熱する循環加熱運転を実行するものにおいて、制御ユニット３５は、循環加熱運転を実行する際に熱利用熱交換器４において熱利用端末運転が実行されている場合には、熱利用端末運転を循環加熱運転中は停止させる。【選択図】図１
2015059681.tif 000002
【特許請求の範囲】
【請求項１】
貯湯タンクの上部から給湯通路に接続されるタンク出湯通路と、このタンク出湯通路から分岐され補助熱源機に接続される補助加熱通路と、前記補助熱源機から前記給湯通路に接続される補助熱源機出湯通路と、前記タンク出湯通路と前記補助加熱通路とを切り換え可能な切換手段と、前記補助加熱通路に設置された循環手段と、前記補助熱源機出湯通路から分岐され前記補助加熱通路に接続された熱利用循環通路と、前記熱利用循環通路に設置された熱利用熱交換器とを備え、前記貯湯タンクの湯水温度が給湯設定温度以下になった場合に前記切換手段によって前記タンク出湯通路から前記補助加熱通路に切り換える貯湯給湯装置において、
前記貯湯タンクから前記タンク出湯通路を通って出湯するタンク出湯から前記補助熱源機を通って出湯する補助加熱出湯に切り換える前に、前記循環手段と前記補助熱源機を駆動して前記熱利用循環通路に湯水を循環させることによって少なくとも前記補助加熱通路内及び前記補助熱源機出湯通路内に存在する湯水を加熱する循環加熱運転を実行可能な制御手段を有し、
前記制御手段は、前記循環加熱運転を実行する際に前記熱利用熱交換器において熱利用端末運転が実行されている場合には、前記熱利用端末運転を前記循環加熱運転中は停止させることを特徴とする貯湯給湯装置。
【請求項２】
前記熱利用端末運転は、凍結予防運転であることを特徴とする請求項１に記載の貯湯給湯装置。
【発明の詳細な説明】
【技術分野】
【０００１】
本発明は貯湯給湯装置に関し、特に貯湯タンクの湯水温度が低下した場合に補助熱源機を利用して湯水を再加熱して出湯するものに関する。
【背景技術】
【０００２】
従来から、高温の湯水を生成して貯湯し、所望の給湯先に供給可能な貯湯給湯装置が実用に供されている。この種の貯湯給湯装置は、湯水を貯留する為の貯湯タンクと、各種の弁部材や各種の配管類と、貯湯タンク内に貯留された湯水温度が低い場合等に再加熱する為の補助熱源機と、これら機器を内蔵した外装ケースと、高温の湯水を生成する為の外部熱源機等を備えている。
【０００３】
上記の補助熱源機を利用して湯水の再加熱を行う場合、一般的に次のように行われる。即ち、給湯運転中に貯湯タンク内の給湯可能な高温の湯水の量が減少して、貯湯タンク内の上部の湯水温度が給湯設定温度以下になった場合、貯湯タンクから給湯通路を通して直接出湯するタンク出湯から、補助熱源機を通して湯水を再加熱した後に給湯通路を通して出湯する補助加熱出湯に切換えられる。
【０００４】
ところで、タンク出湯から補助加熱出湯へ切り換えた直後に、補助熱源機近傍の配管内の低温の湯水が出湯されることで一時的に給湯通路を流れる湯水温度が低下する、所謂、冷水サンドイッチ現象が発生する。
【０００５】
従来では、冷水サンドイッチ現象を防止する為に、風呂追焚回路の浴槽水や温水暖房回路の暖房水を加熱する為の熱利用循環回路であって、補助熱源機と貯湯タンクから補助熱源機へ接続する通路と補助熱源機から給湯通路へ接続する通路とを含む熱利用循環回路を利用し、タンク出湯から補助加熱出湯へ切り換える前に、この熱利用循環回路に湯水を循環させ、補助熱源機を燃焼させて熱利用循環回路内の湯水を予め加熱する循環加熱運転（循環加熱運転）が実行される。
【０００６】
また、特許文献１の給湯システムでは、補助熱源機と、貯湯タンクから補助熱源機へ接続する通路と、補助熱源機から給湯通路へ接続する通路と、貯湯タンクの上部から補助熱源機をバイパスして直接給湯通路に接続する通路とからループ状循環回路を構成し、補助熱源機を利用した給湯運転終了後に、補助熱源機の駆動を一定時間継続して、高温の湯水をループ状循環回路に循環させ、ループ状循環回路に高温の湯水を滞留させるポスト循環運転を実行することで、冷水サンドイッチ現象の発生を防止する技術も開示されている。
【先行技術文献】
【特許文献】
【０００７】
【特許文献１】特開２０１２−７２９５２号公報
【発明の概要】
【発明が解決しようとする課題】
【０００８】
しかし、寒冷地や冬場等で外気温度が低下した場合、熱利用端末運転として風呂追焚回路や温水暖房回路の凍結予防運転が実行されるが、この凍結予防運転中に循環加熱運転を実行すると、補助熱源機で加熱された湯水が熱利用循環回路の熱利用熱交換器で冷却されてしまうので、冷水サンドイッチ現象の解消が不十分となってしまう虞がある。
【０００９】
また、特許文献１の給湯システムのポスト循環運転のように、補助熱源機で加熱された湯水をループ状循環回路に循環させる技術を利用すると、給湯に寄与しない高温の湯水を生成することになり、貯湯給湯装置の運転効率が低下する。
【００１０】
本発明の目的は、貯湯給湯装置において、熱利用端末運転中にタンク出湯から補助加熱出湯に切り換えた際に冷水サンドイッチ現象が発生するのを防止可能にすること、運転効率の低下を防止可能にすること等である。
【課題を解決するための手段】
【００１１】
請求項１の貯湯給湯装置は、貯湯タンクの上部から給湯通路に接続されるタンク出湯通路と、このタンク出湯通路から分岐され補助熱源機に接続される補助加熱通路と、前記補助熱源機から前記給湯通路に接続される補助熱源機出湯通路と、前記タンク出湯通路と前記補助加熱通路とを切り換え可能な切換手段と、前記補助加熱通路に設置された循環手段と、前記補助熱源機出湯通路から分岐され前記補助加熱通路に接続された熱利用循環通路と、前記熱利用循環通路に設置された熱利用熱交換器とを備え、前記貯湯タンクの湯水温度が給湯設定温度以下になった場合に前記切換手段によって前記タンク出湯通路から前記補助加熱通路に切り換える貯湯給湯装置において、前記貯湯タンクから前記タンク出湯通路を通って出湯するタンク出湯から前記補助熱源機を通って出湯する補助加熱出湯に切り換える前に、前記循環手段と前記補助熱源機を駆動して前記熱利用循環通路に湯水を循環させることによって少なくとも前記補助加熱通路内及び前記補助熱源機出湯通路内に存在する湯水を加熱する循環加熱運転を実行可能な制御手段を有し、前記制御手段は、前記循環加熱運転を実行する際に前記熱利用熱交換器において熱利用端末運転が実行されている場合には、前記熱利用端末運転を前記循環加熱運転中は停止させることを特徴としている。
【００１２】
請求項２の貯湯給湯装置は、請求項１の発明において、前記熱利用端末運転は、凍結予防運転であることを特徴としている。
【発明の効果】
【００１３】
請求項１の発明によれば、制御手段は、循環加熱運転を実行する際に熱利用熱交換器において熱利用端末運転が実行されている場合には、熱利用端末運転を循環加熱運転中は一時的に停止させる。
【００１４】
従って、循環加熱運転において補助熱源機で加熱された湯水が、熱利用熱交換器で放熱されるのを抑制できるので、冷水サンドイッチ現象の発生を確実に防止し、タンク出湯から補助加熱出湯に切り換えた直後に補助熱源機で加熱された湯水を給湯通路に効果的に供給することができ、故に、出湯特性の低下を防止することができる。
【００１５】
請求項２の発明によれば、熱利用端末運転は、熱利用熱交換器での放熱量が特に多い凍結予防運転であるので、熱利用端末運転と循環加熱運転の同時運転時に熱利用端末運転を停止することで、補助熱源機で加熱された湯水の冷却を確実に防ぎ、冷水サンドイッチ現象の発生をより確実に防止することができる。
【図面の簡単な説明】
【００１６】
【図１】本発明の実施例に係る貯湯給湯装置の概略構成図である。
【図２】給湯運転制御の前半部分のフローチャートである。
【図３】給湯運転制御の後半部分のフローチャートである。
【図４】給湯運転（タンク出湯）と凍結予防運転時における貯湯給湯装置の概略構成図である。
【図５】給湯運転（タンク出湯）と循環加熱運転時における貯湯給湯装置の概略構成図である。
【図６】給湯運転（補助加熱出湯）と凍結予防運転時における貯湯給湯装置の概略構成図である。
【発明を実施するための形態】
【００１７】
以下、本発明を実施するための形態について実施例に基づいて説明する。
【実施例】
【００１８】
先ずは、本発明の貯湯給湯装置１の全体構成について説明する。
図１に示すように、貯湯給湯装置１は、貯湯、給湯、風呂の追い焚き等の機能を有するものであり、貯湯タンク２を備えたタンクユニット１Ａ、貯湯タンク２内の湯水を加熱する為の外部熱源機１０、タンクユニット１Ａと外部熱源機１０とを接続する湯水循環回路６等を備えている。
【００１９】
タンクユニット１Ａは、貯湯タンク２、補助熱源機３、熱利用熱交換器４、給水系通路５、湯水循環回路６、給湯系通路７、風呂の浴槽水を追い焚きする風呂追焚回路８、この風呂追焚回路８の浴槽水を加熱する熱利用循環回路９等を備え、これら大部分は外装ケース１１内に一体的に収納されている。尚、外部熱源機１０としては、ヒートポンプ式熱源機や燃料電池発電ユニットの排熱回収熱交換器等が活用される。
【００２０】
次に、貯湯タンク２について説明する。
図１に示すように、貯湯タンク２は、外部熱源機１０で加熱された高温の湯水（例えば、６５〜９０℃）を貯留可能な密閉タンクで構成され、貯留された湯水の放熱を防ぐ為にタンク周囲は断熱材で覆われている。
【００２１】
貯湯タンク２の外周部には、下側から上側に向かって等間隔に複数の湯水温度検出センサ２ａ〜２ｄが順に設けられ、これら複数の湯水温度検出センサ２ａ〜２ｄにより貯湯タンク２内の複数の貯留層の湯水温度が検出される。
【００２２】
補助熱源機３は、バーナーや熱交換器等を内蔵した公知のガス給湯器で構成されている。補助熱源機３は、貯湯タンク２内の湯水温度が低下した場合等の特別な場合に限り、制御ユニット３５から指令が送信されて燃焼作動され、湯水を加熱するものである。補助熱源機３の出口側には、補助熱源機３から導出された湯水温度を検出可能な湯水温度検出センサ３ａが設けられている。
【００２３】
熱利用熱交換器４は、風呂追焚回路８を流れる浴槽水を加熱するものであり、熱利用循環回路９の一部となる熱交換通路部４ａ、風呂追焚回路８の一部となる熱交換通路部４ｂを有している。この熱利用熱交換器４において、熱利用循環回路９を流れる高温の湯水と風呂追焚回路８を流れる浴槽水との間で熱交換され、浴槽水が加熱される。
【００２４】
次に、給水系通路５について説明する。
図１に示すように、給水系通路５は、上水源から低温の上水を貯湯タンク２に供給するものであり、上流給水通路部５ａ、中間給水通路部５ｂ、下流給水通路部５ｃを有している。上流給水通路部５ａの上流端が上水源に接続され、下流給水通路部５ｃの下流端が貯湯タンク２の下部に接続されている。上流給水通路部５ａと中間給水通路部５ｂとの間から給湯系通路７に接続するバイパス通路部１２が分岐されている。
【００２５】
上流給水通路部５ａに開閉弁５ｅが設置され、通常は開閉弁５ｅは開弁されていて、低温の上水を貯湯タンク２内に供給するようになっている。中間給水通路部５ｂには、逆止弁５ｄが設置され、バイパス通路部１２には、逆止弁１２ａが設置されている。
【００２６】
中間給水通路部５ｂと下流給水通路部５ｃとの間から熱利用循環回路９に接続するバイパス通路部１４が分岐され、この分岐部には、蓄熱切換弁１５が設置されている。このバイパス通路部１４により、低温の上水を熱利用循環回路９に供給することができ、また逆に、熱利用循環回路９から湯水を貯湯タンク２に戻すことができる。
【００２７】
次に、湯水循環回路６について説明する。
図１に示すように、湯水循環回路６は、貯湯タンク２と外部熱源機１０との間に湯水を循環させて加熱する閉回路であり、低温側循環通路部６ａ、高温側循環通路部６ｂ等を有している。低温側循環通路部６ａの上流端が貯湯タンク２の下部に接続され、高温側循環通路部６ｂの下流端が貯湯タンク２の上部に接続されている。
【００２８】
低温側循環通路部６ａから高温側循環通路部６ｂに接続する分岐通路部１６が分岐され、この分岐部には、貯湯タンク２を含めた循環回路と貯湯タンク２をバイパスする循環回路とを択一的に選択可能な三方弁１７が設置されている。低温側循環通路部６ａの三方弁１７の下流側に循環ポンプ１８が設置されている。低温側循環通路部６ａの下流端と高温側循環通路部６ｂの上流端との間に外部熱源機１０の熱交換部１０ａが設けられている。
【００２９】
次に、給湯系通路７について説明する。
図１に示すように、給湯系通路７は、貯湯タンク２内に貯湯された湯水を風呂等の所望の給湯先に供給するものであり、給湯栓に接続される給湯通路２１、貯湯タンク２の上部から給湯通路２１に接続されるタンク出湯通路２２、このタンク出湯通路２２から分岐され燃焼式の補助熱源機３に接続される補助加熱通路２３、補助熱源機３から給湯通路２１に接続される補助熱源機出湯通路２４等を有している。
【００３０】
給湯通路２１は、高温の湯水が流れる上流給湯通路部２１ａ、混合湯水が流れる下流給湯通路部２１ｂを有し、上流給湯通路部２１ａの上流端がタンク出湯通路２２の下流端に接続され、下流給湯通路部２１ｂの下流端が給湯栓に接続されている。
【００３１】
上流給湯通路部２１ａと下流給湯通路部２１ｂとの間に混合弁２５が設置されている。この混合弁２５に給水系通路５から分岐したバイパス通路部１２が接続されている。混合弁２５は、出湯温度が指令温度になるように水と高温の湯水の混合比を制御するものである。
【００３２】
タンク出湯通路２２は、上流出湯通路部２２ａ、下流出湯通路部２２ｂを有し、上流出湯通路部２２ａの上流端が貯湯タンク２の上部に接続され、下流出湯通路部２２ｂの下流端が上流給湯通路部２１ａの上流端に接続されている。上流出湯通路部２２ａと下流出湯通路部２２ｂとの間から補助加熱通路２３が分岐されている。
【００３３】
補助加熱通路２３は、上流加熱通路部２３ａ、下流加熱通路部２３ｂを有し、上流加熱通路部２３ａの上流端がタンク出湯通路２２に接続され、下流加熱通路部２３ｂの下流端が補助熱源機３の導入口に接続されている。
【００３４】
上流加熱通路部２３ａと下流加熱通路部２３ｂとの間にタンク出湯通路２２と補助加熱通路２３とを切り換え可能な三方弁２６（切換手段に相当する）が設置されている。三方弁２６には、熱利用循環回路９の湯水戻り側通路部９ｂも接続されている。この三方弁２６は、上流加熱通路部２３ａと下流加熱通路部２３ｂとの間の接続・遮断及び下流加熱通路部２３ｂと湯水戻り側通路部９ｂとの間の接続・遮断を切換可能なものである。下流加熱通路部２３ｂには、圧送ポンプ２７（循環手段に相当する）が設置されている。
【００３５】
補助熱源機出湯通路２４は、上流補助出湯通路部２４ａ、下流補助出湯通路部２４ｂを有し、上流補助出湯通路部２４ａの上流端が補助熱源機３の導出口に接続され、下流補助出湯通路部２４ｂの下流端が上流給湯通路部２１ａの上流端に接続されている。上流補助出湯通路部２４ａと下流補助出湯通路部２４ｂとの間から熱利用循環回路９の湯水往き側通路部９ａが分岐されている。下流補助出湯通路部２４ｂにタンク水比例弁２８が設置されている。
【００３６】
次に、風呂追焚回路８について説明する。
図１に示すように、風呂追焚回路８は、風呂の浴槽水を追い焚きする為に浴槽水を循環させる回路であり、風呂戻り側通路部８ａ、風呂往き側通路部８ｂを有している。風呂戻り側通路部８ａと風呂往き側通路部８ｂとの間に風呂循環ポンプ８ｃが設置され、風呂往き側通路部８ｂに熱利用熱交換器４の熱交換通路部４ｂが設置されている。
【００３７】
次に、熱利用循環回路９について説明する。
図１に示すように、熱利用循環回路９は、湯水を循環させて風呂追焚回路８との間で熱交換を行う閉回路であり、湯水往き側通路部９ａ、湯水戻り側通路部９ｂ、補助加熱通路２３の下流加熱通路部２３ｂ、補助熱源機出湯通路２４の上流補助出湯通路部２４ａを有している。湯水往き側通路部９ａと湯水戻り側通路部９ｂとの間に、熱利用熱交換器４の熱交換通路部４ａが接続されている。湯水往き側通路部９ａ及び湯水戻り側通路部９ｂが、補助熱源機出湯通路２４から分岐され補助加熱通路２３に接続された熱利用循環通路に相当する。
【００３８】
熱利用循環回路９に湯水を循環させて浴槽水と熱交換を行う場合、圧送ポンプ２７を介して湯水が、下流加熱通路部２３ｂから補助熱源機３に流入し、補助熱源機３によって加熱された後の高温の湯水が、上流補助出湯通路部２４ａと湯水往き側通路部９ａとを流れて熱交換通路部４ａに送られ、この熱交換通路部４ａで浴槽水との間で熱交換された湯水は、湯水戻り側通路部９ｂを通って下流加熱通路部２３ｂに戻される。
【００３９】
次に、制御ユニット３５について説明する。
図１に示すように、貯湯給湯装置１は、制御ユニット３５（制御手段に相当する）によって制御される。各種のセンサの検出信号が制御ユニット３５に送信され、この制御ユニット３５により、貯湯給湯装置１の動作、各種のポンプの作動・停止、各種の弁の開閉状態の切り換え及び開度調整等を制御し、各種運転（給湯運転、湯水加熱運転、風呂追焚運転、凍結予防運転、循環加熱運転等）を実行する。
【００４０】
制御ユニット３５は、ユーザーが操作可能な操作リモコン３６との間でデータ通信可能であり、操作リモコン３６のスイッチ操作により各種の運転が設定されると、その指令信号が操作リモコン３６から制御ユニット３５に送信される。例えば、操作リモコン３６のスイッチ操作により目標給湯設定温度（例えば、４０℃）が設定されると、その目標給湯設定温度データが操作リモコン３６から制御ユニット３５に送信される。
【００４１】
次に、本発明に関連する循環加熱運転について説明する。
制御ユニット３５が実行可能な循環加熱運転は、給湯運転中において貯湯タンク２からタンク出湯通路２２を通って出湯するタンク出湯から補助熱源機３を通って出湯する補助加熱出湯に切り換える前に、圧送ポンプ２７と補助熱源機３を駆動して湯水往き側通路部９ａと湯水戻り側通路部９ｂ（熱利用循環通路）に湯水を循環させることによって少なくとも補助加熱通路２３内及び補助熱源機出湯通路２４内に存在する湯水を加熱する運転である（図５参照）。
【００４２】
次に、給湯運転中においてタンク出湯から補助加熱出湯に切り換える際に自動的に行われる、補助熱源機３と圧送ポンプ２７を利用した循環加熱運転制御について、図２，図３のフローチャートに基づいて説明する。尚、図中の符号Ｓｉ（ｉ=１，２，・・）は各ステップを示す。この循環加熱運転制御を含む給湯運転制御の制御プログラムは、制御ユニット３５に予め格納されている。
【００４３】
図２，図３のフローチャートにおいて、この制御が開始されると、最初にＳ１において、貯湯給湯装置１が給湯運転中か否か判定する。貯湯給湯装置１が給湯運転中であって貯湯タンク２からタンク出湯通路２２を通って出湯するタンク出湯中の場合（図４矢印参照）、つまり、Ｓ１の判定がＹｅｓの場合は、Ｓ２に移行し、Ｓ１の判定がＮｏのうちはＳ１を繰り返す。
【００４４】
次に、Ｓ２において、複数の湯水温度検出センサ２ａ〜２ｄのうちの上から２番目の湯水温度検出センサ２ｃの検出信号を読み込み、この検出信号に基づいて、貯湯タンク２内の上部（湯水温度検出センサ２ｃが設置された近傍）の貯留層の上部湯水温度Ｔａを算出して、Ｓ３に移行する。
【００４５】
次に、Ｓ３において、貯湯タンク２内の上部湯水温度Ｔａが、給湯設定温度Ｔ（例えば、４０℃）以下か否かを判定し、貯湯タンク２内の上部湯水温度Ｔａが給湯設定温度Ｔより低い場合、つまり、Ｓ３の判定がＹｅｓの場合、Ｓ４に移行し、貯湯タンク２内の上部湯水温度Ｔａが給湯設定温度Ｔより高い場合、つまり、Ｓ３の判定がＮｏのうちはＳ２，Ｓ３を繰り返す。
【００４６】
次に、Ｓ４において、風呂追焚回路８が凍結予防運転中か否か判定する。即ち、寒冷地や冬場等で外気温度が低下した場合、風呂追焚回路８内の浴槽水が凍結して配管が損傷する虞があるので、風呂循環ポンプ８ｃを駆動して風呂追焚回路８に浴槽水を循環させて凍結を防止する凍結予防運転（熱利用端末運転に相当する）が実行される。制御ユニット３５によって凍結予防運転中であると判定された場合、つまり、Ｓ４の判定がＹｅｓの場合は、Ｓ５に移行し、Ｓ４の判定がＮｏの場合は、Ｓ６に移行する。
【００４７】
次に、Ｓ５において、風呂追焚回路８の凍結予防運転を一時的に停止する為に風呂循環ポンプ８ｃの駆動を停止し、Ｓ６に移行する。即ち、循環加熱運転を実行する際に熱利用熱交換器４において凍結予防運転が実行されている場合には、凍結予防運転を循環加熱運転中は停止させる。
【００４８】
次に、Ｓ６において、循環加熱運転を開始し、Ｓ７に移行する。このＳ６では、三方弁２６を熱利用循環回路９側に維持（タンク出湯を維持）し、圧送ポンプ２７を駆動し、補助熱源機３の燃焼を開始する。このように、タンク出湯から補助加熱出湯へ切り換える前に、補助加熱通路２３と補助熱源機出湯通路２４とを部分的に含む熱利用循環回路９に湯水を循環させ、補助熱源機３を燃焼させて熱利用循環回路９内の湯水を予め加熱する（図５矢印参照）。
【００４９】
次に、Ｓ７において、湯水温度検出センサ３ａの検出信号を読み込み、この検出信号に基づいて、補助熱源機３の導出口から導出される補助熱源機３の出口湯水温度Ｔｂを算出して、Ｓ８に移行する。
【００５０】
次に、Ｓ８において、補助熱源機３の出口湯水温度Ｔｂが、給湯設定温度Ｔ＋所定温度α（例えば４０℃＋５℃）以上か否かを判定し、且つ、出口湯水温度Ｔｂが、給湯設定温度Ｔ＋所定温度α以上である状態が所定時間β（例えば１０〜３０秒程度）継続したか否かを判定し、補助熱源機３の出口湯水温度Ｔｂが給湯設定温度Ｔ＋所定温度αより高い場合で且つ温度上昇後に所定時間β継続した場合、つまり、Ｓ８の判定がＹｅｓの場合は、Ｓ９に移行し、補助熱源機３の出口湯水温度Ｔｂが給湯設定温度Ｔ＋所定温度αより低い場合、つまり、Ｓ８の判定がＮｏの場合のうちはＳ７，Ｓ８を繰り返す。
【００５１】
次に、Ｓ９において、循環加熱運転を終了して、Ｓ１０に移行する。このＳ１０では、三方弁２６を熱利用循環回路９側に維持（タンク出湯を維持）し、圧送ポンプ２７を停止し、補助熱源機３の燃焼を停止、Ｓ５において、凍結予防運転を停止した場合は、凍結予防運転を再開する（図４矢印参照）。
【００５２】
次に、Ｓ１０において、複数の湯水温度検出センサ２ａ〜２ｄのうちの最上部の湯水温度検出センサ２ｄの検出信号を読み込み、この検出信号に基づいて、貯湯タンク２内の上部（湯水温度検出センサ２ｄが設置された近傍）の貯留層の上部湯水温度Ｔｃを算出して、Ｓ１１に移行する。
【００５３】
次に、Ｓ１１において、貯湯タンク２内の上部湯水温度Ｔｃが、給湯設定温度Ｔ（例えば、４０℃）以下か否かを判定し、貯湯タンク２内の上部湯水温度Ｔｃが給湯設定温度Ｔより低い場合、つまり、Ｓ１１の判定がＹｅｓの場合は、Ｓ１２に移行し、貯湯タンク２内の上部湯水温度Ｔｃが給湯設定温度Ｔより高い場合、つまり、Ｓ１１の判定がＮｏのうちはＳ１０，Ｓ１１を繰り返す。
【００５４】
次に、Ｓ１２において、貯湯タンク２内の給湯可能な高温の湯水の大部分が出湯されたので、湯水の再加熱を実行する為に補助加熱運転を開始し、Ｓ１３に移行する。このＳ１３では、三方弁２６を補助加熱通路２２側に切り換え（タンク出湯から補助加熱出湯に切り換え）、圧送ポンプ２７を駆動し、補助熱源機３の燃焼を開始する（図６矢印参照）。
【００５５】
Ｓ１３において、給湯運転終了条件成立か否か判定され、Ｓ１３の判定がＮｏのうちはＳ１３の判定を繰り返し、Ｓ１３の判定がＹｅｓの場合、Ｓ１４に移行して、給湯運転を終了する。
【００５６】
次に、本発明の貯湯給湯装置１の作用及び効果について説明する。
制御ユニット３５は、湯水温度検知センサ２ａ〜２ｄ等の各種センサを介して給湯状態を常時監視している。タンク出湯から補助加熱出湯に切り換える前であって、循環加熱運転を実行する際に熱利用熱交換器４において熱利用端末運転（凍結予防運転）が実行されている場合には、熱利用端末運転を循環加熱運転中は一時的に停止させる。
【００５７】
従って、循環加熱運転において補助熱源機３で加熱された湯水が、熱利用熱交換器４で放熱されるのを抑制できるので、冷水サンドイッチ現象の発生を確実に防止し、タンク出湯から補助加熱出湯に切り換えた直後に補助熱源機３で加熱された湯水を給湯通路２１に効果的に供給することができ、故に、出湯特性の低下を防止することができる。
【００５８】
さらに、熱利用端末運転は、熱利用熱交換器４での放熱量が特に多い凍結予防運転であるので、熱利用端末運転と循環加熱運転の同時運転時に熱利用端末運転を停止することで、補助熱源機３で加熱された湯水の冷却を確実に防ぎ、冷水サンドイッチ現象の発生をより確実に防止することができる。
【００５９】
次に、前記実施例を部分的に変更した形態について説明する。
［１］前記実施例における熱利用端末運転は、風呂追焚回路８に限定する必要はなく、床暖房パネルや浴室乾燥機等に供給される暖房水を循環させる温水暖房回路であっても良く、適宜変更可能である。
【００６０】
［２］前記実施例において、三方弁２６は、補助加熱通路２３の下流加熱通路部２３ｂに設置されているが、特にこの構造に限定する必要はなく、タンク出湯通路２２から補助加熱通路２３が分岐した分岐部に三方弁２６を設置しても良い。
【００６１】
［３］前記実施例において、給湯設定温度Ｔや所定温度αはほんの一例を示したに過ぎず、これらの温度は適宜変更可能である。
【００６２】
［４］その他、当業者であれば、本発明の趣旨を逸脱することなく、前記実施例に種々の変更を付加した形態で実施可能であり、本発明はそのような変更形態を包含するものである。
【符号の説明】
【００６３】
１      貯湯給湯装置
２      貯湯タンク
３      補助熱源機
４      熱利用熱交換器
２１    給湯通路
２２    タンク出湯通路
２３    補助加熱通路
２４    補助熱源機出湯通路
２６    三方弁（切換手段）
２７    圧送ポンプ（循環手段）
３５    制御ユニット
【図１】
2015059681.tif 000003
【図２】
2015059681.tif 000004
【図３】
2015059681.tif 000005
【図４】
2015059681.tif 000006
【図５】
2015059681.tif 000007
【図６】
2015059681.tif 000008